(57)【要約】      （修正有）【課題】高いコストをかけずに、電子レンジの庫内底壁やターンテーブルに落ち難い汚れが付かないようにして、清掃の手間を省き、美しい状態で使い続けられるようにする。【解決手段】マイカ製またはガラス繊維製のシートよりなり、庫内の底壁上面、またはターンテーブル上面によって構成される被加熱物載置面に敷いて使用する電子レンジ用汚れ防止シート１である。シートの片面に、被加熱物載置面のサイズに合うようにシートを切断するための切取線２１Ａ，２１Ｂ，２２を表示する。【選択図】図１
0003138880.tif 000002
【実用新案登録請求の範囲】
【請求項１】
マイカ製またはガラス繊維製のシートよりなり、庫内の底壁上面またはターンテーブル上面によって構成される被加熱物載置面に敷いて使用することを特徴とする、電子レンジ用汚れ防止シート。
【請求項２】
少なくとも片面に、被加熱物載置面のサイズに合うようにシートを切断するための切取線が表示されていることを特徴とする、請求項１記載の電子レンジ用汚れ防止シート。
【請求項３】
切取線が、庫内の底壁上面よりなる被加熱物載置面に対応する直線状の切取線と、ターンテーブル上面よりなる被加熱物載置面に対応する円形の切取線とで構成されていることを特徴とする、請求項２記載の電子レンジ用汚れ防止シート。
【請求項４】
切断後のシートのサイズが、切取線に隣接して表示されていることを特徴とする、請求項２または３記載の電子レンジ用汚れ防止シート。
【請求項５】
シートが、マイカ製であって、０．１５〜０．５ｍｍの厚みを有していることを特徴とする、請求項１〜４のいずれか１つに記載の電子レンジ用汚れ防止シート。
【請求項６】
シートが、ガラス繊維製であって、０．０８〜０．３５ｍｍの厚みを有していることを特徴とする、請求項１〜４のいずれか１つに記載の電子レンジ用汚れ防止シート。
【考案の詳細な説明】
【技術分野】
【０００１】
この考案は、電子レンジにおいて、庫内の底壁上面またはターンテーブル上面よりなる被加熱物載置面に汚れが付着するのを防止するためのシートに関する。
【背景技術】
【０００２】
電子レンジは、多機能化が進んでおり、近年では、マイクロ波による電子レンジ機能やヒータによるオーブン・グリル機能に加えて、水蒸気によるスチーム機能を備えたものも登場している。
また、従来の電子レンジは、庫内にターンテーブルを有し、このターンテーブルの上に食品等を載せてレンジ加熱を行うものが一般的であったが、マイクロ波を分散させる手段を底部等に設けることにより庫内からターンテーブルを無くし、セラミックガラス等の耐熱板で構成した底壁の上に食品等を載せてレンジ加熱を行う、いわゆる庫内フラットタイプのものが主流になりつつある。
【０００３】
ここで、庫内フラットタイプの電子レンジにおいて、例えばグリル機能を用いて魚や肉等の食品を加熱調理する際、加熱により食品から出た油分を含む汁が、セラミックガラス製の底壁の上に垂れて、これが底壁の上面にこびり付いてしまうことがある。しかしながら、このような汚れは簡単に落ちないため、清掃が大変であった。
また、同様の問題は、ターンテーブル付きの電子レンジでも起きることである。
【０００４】
そこで、上記の問題を解決するため、例えば、庫内フラットタイプの電子レンジとして、庫内底壁の上に、耐熱ガラス製またはセラミック製のトレイを敷いて使用するものが知られている（特許文献１参照）。
しかしながら、トレイは、専用品であって、耐熱ガラスまたはセラミックにより形成されているため、高価なものとなり、また、汚れが付いたら庫内から取り出して洗えるものの、こびり付いた汚れを落とすのは容易でなく、使用に伴って汚れが目立ってくるのは避けられなかった。
【特許文献１】特開２００１−３２４１４７号公報
【考案の開示】
【０００５】
この考案の目的は、上記の問題点を解決し、高いコストをかけずに、電子レンジの庫内底壁やターンテーブルに落ち難い汚れが付かないようにして、清掃の手間を省き、美しい状態で使い続けられるようにすることにある。
【０００６】
この考案による電子レンジ用汚れ防止シートは、マイカ製またはガラス繊維製のシートよりなり、庫内の底壁上面またはターンテーブル上面によって構成される被加熱物載置面に敷いて使用するものである。
【０００７】
上記のシートは、マイクロ波透過性および耐熱性を有するマイカ製またはガラス繊維製であるので、電子レンジの庫内で支障なく使用することができる。そして、このシートを被加熱物載置面に敷くことにより、加熱調理に伴って食品から出た汁等が被加熱物載置面に垂れてこびり付くことが確実に阻止され、使用者は清掃の手間が省ける。加えて、上記のシートを使用すれば、食器等との摩擦によって被加熱物載置面に傷が付くのが防止される。
また、マイカ製またはガラス繊維製のシートは、ハサミやカッター等で比較的容易に切断することができる。従って、この考案によれば、例えば、市販されている電子レンジのうち最大の被加熱物載置面のサイズにほぼ合致する１種類のサイズのシートを製造販売すれば、これを購入した使用者が自己の電子レンジの被加熱物載置面のサイズに合うように切断して使用すればよいので、製造コストを抑えることができ、使用者が購入時に迷うこともない。
さらに、マイカ製またはガラス繊維製のシートは比較的安価であるので、ある程度の期間（例えば数ヶ月程度）使用して汚れたり傷んだりしたら、気軽に新しいものと取り替えることができ、シートを使い使い続けることにより、電子レンジの庫内を美しい状態に保っておくことができる。
【０００８】
この考案の電子レンジ用汚れ防止シートにおいて、少なくとも片面に、被加熱物載置面のサイズに合うようにシートを切断するための切取線が表示されているのが好ましい。
【０００９】
上記のような切取線がシートに表示されていれば、使用する電子レンジの被加熱物載置面のサイズに合わせてシートを切断する際の目安となり、切断作業を簡単に行うことができる。
【００１０】
上記の場合において、切取線は、庫内の底壁上面によって構成される被加熱物載置面に対応するものが直線状となり、ターンテーブル上面によって構成される被加熱物載置面に対応するものが円形となるが、１つのシートに双方を表示してもよい。
【００１１】
この場合、１種類のシートで、庫内フラットタイプの電子レンジと、ターンテーブル付きの電子レンジの双方に対応することができるので、便利である。
【００１２】
シートに切取線が表示される場合において、より好ましくは、切断後のシートのサイズが、切取線に隣接して表示される。
【００１３】
切断後のサイズが切取線に隣接して表示されていれば、どの切断線に沿ってシートを切断すればよいかを簡単に把握することができ、更に切断作業が楽になる。
【００１４】
なお、シートに切取線やサイズを表示する手段は特に限定されないが、通常、罫書きまたは印刷によって表示される。
【００１５】
また、この考案による電子レンジ用汚れ防止シートは、マイカ製の場合に０．１５〜０．５ｍｍ、ガラス繊維製の場合に０．０８〜０．３５ｍｍの厚みを有しているのが好ましい。
【００１６】
マイカ製シートの厚みが０．１５ｍｍ未満またはガラス繊維製シートの厚みが０．０８ｍｍ未満であると、強度が不十分となるおそれがある上、製造も困難になる。一方、マイカ製シートの厚みが０．５ｍｍ超またはガラス繊維製シートの厚みが０．３５ｍｍ超になると、ハサミやカッターを使って切断するのが難しくなる。マイカ製シートの場合、より好適には、０．２〜０．３ｍｍ程度の厚みとなされる。
【考案を実施するための最良の形態】
【００１７】
次に、図１〜３を参照して、この考案の実施形態を説明する。
【００１８】
図１は、この考案による電子レンジ用汚れ防止シートを示す平面図である。図示の電子レンジ用汚れ防止シート（１）は、マイカ製のシートよりなる。
【００１９】
より具体的には、このシート（１）は、マイカを粉砕して紙状に抄造することにより得られた集成マイカに、接着剤（シリコーン樹脂等）を含浸させて乾燥させた後、加熱圧縮により板状に成形してなるものであって、優れた耐熱性を有するとともに、マイクロ波透過性を有している。
このようなマイカ製シートとしては、例えば、電子レンジの庫内においてマイクロ波発生部をカバーする部材として使用されている電熱用マイカ板を使用することができる。
【００２０】
シート（１）は、やや横に長い方形をしている。シート（１）のサイズは、縦が約３４０ｍｍ、横が約４２０ｍｍであり、これは、現在市販されている庫内フラットタイプの電子レンジのうち最大の庫内底壁のサイズにほぼ合致させものである。また、シート（１）の厚みは、約０．２ｍｍ〜０．３ｍｍである。
【００２１】
シート（１）の片面には、被加熱物載置面のサイズに合うようにシートを切断するための切取線（２１Ａ）（２１Ｂ）（２２）が表示されている。
切取線は、庫内の底壁（４１）上面よりなる被加熱物載置面（図２参照）に対応する直線状の切取線（２１Ａ）（２１Ｂ）と、ターンテーブル（４２）上面よりなる被加熱物載置面（図３参照）に対応する円形の切取線（２２）とで構成されている。また、各切取線（２１Ａ）（２１Ｂ）（２２）に隣接して、切断後のシートのサイズ（３）が表示されている。
図１では、シート（１）片面の左側部に、縦方向にのびる３本の切取線（２１Ａ）が表示され、各切取線（２１Ａ）の下端の右隣に「４００」、「３５０」、「３００」という切断後のサイズ（＝幅）（３）が表示されている。また、シート（１）片面の下部に、横方向にのびる２本の切取線（２１Ｂ）が表示され、各切取線（２１Ｂ）の下端の上隣に「３２０」、「３００」という切断後のサイズ（＝奥行）（３）が表示されている。さらに、シート（１）片面の右側部から中央部にかけて、２本の円形の切取線（２２）が同心状に表示され、各切取線（２２）における９時方向の内側に「２６０」、「２００」という切断後のサイズ（＝直径）（３）が表示されている。
これらの切取線（２１Ａ）（２１Ｂ）（２２）およびサイズ（３）の表示は、罫書きによって形成される他、印刷により表示することも可能である。
【００２２】
図２は、図１の電子レンジ用汚れ防止シート（１）を、庫内フラットタイプの電子レンジ（４Ａ）に使用した例を示すものである。
電子レンジ（４Ａ）の庫内底壁（４１）は、セラミックガラス板製であって、ターンテーブルのないフラットな上面を有している。この庫内底壁（４１）の上面に、シート（１）が敷かれている。シート（１）は、通常、切取線（２１Ａ）（２１Ｂ）（２２）やサイズ（３）が表示された面を下にして、庫内底壁（４１）の上面に敷かれるが、逆に向きにすることも可能である。
なお、シート（１）は、庫内底壁（４１）のサイズに合うように、所要の切取線（２１Ａ）（２１Ｂ）に沿って予めハサミ等で切断しておく。
この状態で電子レンジ（４Ａ）のオーブン・グリル機能を使って食品を加熱調理した場合、加熱によって食品から出た汁が垂れても、その汁はシート（１）の上に落ちるので、庫内底壁（４１）の上面は全く汚れない。また、電子レンジ（４Ａ）の電子レンジ機能を使って食品を加熱調理する場合には、食品を入れた食器（５）がシート（１）の上に載せられるので、食器（５）との摩擦により庫内底壁（４１）の上面に傷が付くことがない。
シート（１）は、使用頻度等にもよるが、数ヶ月程度使用して汚れや傷が目立ってきたら、新しいものと交換すればよい。こうしてシート（１）を使用し続ければ、庫内底壁（４１）の上面に汚れがこびり付いたり擦り傷が付いたりしないので、面倒な清掃の手間が省け、電子レンジ（４Ａ）内を美しい状態に保つことができる。
【００２３】
図３は、図１の電子レンジ用汚れ防止シート（１）を、ターンテーブル（４２）付きの電子レンジ（４Ｂ）に使用した例を示すものである。
電子レンジ（４Ｂ）内のターンテーブル（４２）の上面に、シート（１）が敷かれている。なお、シート（１）は、ターンテーブル（４２）のサイズに合うように、所要の切取線（２２）に沿って予めハサミ等で切断しておく。
この場合にも、図２に示す場合と同様に、シート（１）によって、ターンテーブル（４２）の上面に汚れがこびり付いたり擦り傷が付いたするのを効果的に防止することができる。
【００２４】
なお、上記の実施形態はあくまでも例示にすぎず、この考案の要旨を変更しない範囲で適宜に変更を加えた上で実施することも勿論可能である。
例えば、上記の実施形態においてはマイカ製シートを使用しているが、これに代えて、ガラス繊維製シートを使用してもよい。ガラス繊維製シートとしては、例えば、約５．６〜１３５テックスのガラス繊維を平織してなる厚さ約０．０８〜０．３５ｍｍのものが用いられる。また、ガラス繊維シートの場合、好適には、フッ素樹脂やシリコン樹脂を浸透・コーティングしたものが用いられる。
【図面の簡単な説明】
【００２５】
【図１】この考案の実施形態を示したものであって、電子レンジ用汚れ防止シートの平面図である。
【図２】図１のシートを庫内フラットタイプの電子レンジに使用した例を示す斜視図である。
【図３】図１のシートをターンテーブル付き電子レンジに使用した例を示す斜視図である。
【符号の説明】
【００２６】
（１）：電子レンジ用汚れ防止シート
（２１Ａ）（２１Ｂ）（２２）：切取線
（３）：切断後のサイズ
（４Ａ）（４Ｂ）：電子レンジ
（４１）：庫内底壁（被加熱物載置面）
（４２）：ターンテーブル（被加熱物載置面）
（５）：食器
【図１】
0003138880.tif 000003
【図２】
0003138880.tif 000004
【図３】
0003138880.tif 000005